(57)【要約】【課題】使用者を誤解させることなく良好に加熱を行うことができる加熱調理器、作動方法及びコンピュータプログラムを提供する。【解決手段】加熱調理器１は、被加熱物の加熱を行うマグネトロン５と、該マグネトロン５による加熱の開始からの経過時間を計時する計時部７２と、加熱室２０内の湿度を測定する湿度センサ４とを備える。計時部７２が設定時間Ｔを計時する前に、湿度センサ４が測定した湿度が所定湿度以上である場合、マグネトロン５は、加熱を停止し、計時部７２は、設定時間Ｔを計時した後、計時を終了する。【選択図】図３
2017194208.tif 000002
【特許請求の範囲】
【請求項１】
被加熱物の加熱を行う加熱部と、
該加熱部による加熱の開始からの経過時間を計時する計時部と、
前記被加熱物の加熱に係る状態を検知する検知部とを備え、
前記計時部が所定時間を計時する前に、前記検知部が前記被加熱物の所定の状態を検知した場合、前記加熱部は、加熱を停止し、前記計時部は、前記所定時間を計時した後、計時を終了する
ことを特徴とする加熱調理器。
【請求項２】
前記検知部が前記所定の状態を検知し、前記加熱部が加熱を停止した場合に、前記加熱部による加熱の停止を報知する停止報知部を備える
ことを特徴とする請求項１に記載の加熱調理器。
【請求項３】
前記検知部が検知した状態に係る情報を報知する情報報知部を備えることを特徴とする請求項１又は請求項２に記載の加熱調理器。
【請求項４】
前記所定時間の経過前において前記加熱部が加熱を停止した後、前記検知部が、前記所定の状態よりも温度が低下した状態を検知した場合、前記加熱部は、前記被加熱物を加熱する
ことを特徴とする請求項１から請求項３までのいずれか一つに記載の加熱調理器。
【請求項５】
被加熱物の加熱を行う加熱部と、該加熱部による加熱の開始からの経過時間を計時する計時部と、前記被加熱物の状態を検知する検知部とを備える加熱調理器の作動方法であって、
前記計時部が所定時間を計時する前に、前記検知部が前記被加熱物の所定の状態を検知した場合、前記加熱部は、加熱を停止し、前記計時部は、前記所定時間を計時した後、計時を終了する
ことを特徴とする作動方法。
【請求項６】
被加熱物の加熱を行う加熱部と、該加熱部による加熱の開始からの経過時間を計時する計時部と、前記被加熱物の状態を検知する検知部とを備える加熱調理器を制御するコンピュータに、
前記計時部が所定時間を計時する前に、前記検知部が前記被加熱物の所定の状態を検知した場合、前記加熱部による加熱を停止し、前記所定時間の計時後、前記計時部による計時を終了する
処理を実行させることを特徴とするコンピュータプログラム。
【発明の詳細な説明】
【技術分野】
【０００１】
本発明は、被加熱物を加熱する加熱調理器、作動方法及びコンピュータプログラムに関する。
【背景技術】
【０００２】
加熱調理器は、マグネトロン等の加熱部を備え、該加熱部により被加熱物を加熱する。加熱調理器は、被加熱物の温度を測定する温度センサ（赤外線センサ）を更に備え、該温度センサが所定温度を測定した場合に加熱部の動作を停止し、加熱に係る動作を終了する場合がある（例えば、特許文献１参照）。これにより、被加熱物の過加熱を防止し、所望の温度で被加熱物の加熱を終了している。
【先行技術文献】
【特許文献】
【０００３】
【特許文献１】特開２００２−３４９８６８号公報
【発明の概要】
【発明が解決しようとする課題】
【０００４】
しかしながら、使用者に設定された設定時間の間、被加熱物の加熱を行う場合において、設定時間の経過前に、温度センサが所望の温度を測定し、加熱調理器が加熱に係る動作を終了したときには、使用者にエラーが生じたと誤解されるという問題がある。
【０００５】
本発明は、斯かる事情に鑑みてなされたものであり、その目的とするところは、使用者を誤解させることなく良好に加熱を行うことができる加熱調理器、作動方法及びコンピュータプログラムを提供することにある。
【課題を解決するための手段】
【０００６】
本発明に係る加熱調理器は、被加熱物の加熱を行う加熱部と、該加熱部による加熱の開始からの経過時間を計時する計時部と、前記被加熱物の加熱に係る状態を検知する検知部とを備え、前記計時部が所定時間を計時する前に、前記検知部が前記被加熱物の所定の状態を検知した場合、前記加熱部は、加熱を停止し、前記計時部は、前記所定時間を計時した後、計時を終了することを特徴とする。
【０００７】
本発明に係る加熱調理器は、前記検知部が前記所定の状態を検知し、前記加熱部が加熱を停止した場合に、前記加熱部による加熱の停止を報知する停止報知部を備えることを特徴とする。
【０００８】
本発明に係る加熱調理器は、前記検知部が検知した状態に係る情報を報知する情報報知部を備えることを特徴とする。
【０００９】
本発明に係る加熱調理器は、前記所定時間の経過前において前記加熱部が加熱を停止した後、前記検知部が、前記所定の状態よりも温度が低下した状態を検知した場合、前記加熱部は、前記被加熱物を加熱することを特徴とする。
【００１０】
本発明に係る作動方法は、被加熱物の加熱を行う加熱部と、該加熱部による加熱の開始からの経過時間を計時する計時部と、前記被加熱物の状態を検知する検知部とを備える加熱調理器の作動方法であって、前記計時部が所定時間を計時する前に、前記検知部が前記被加熱物の所定の状態を検知した場合、前記加熱部は、加熱を停止し、前記計時部は、前記所定時間を計時した後、計時を終了することを特徴とする。
【００１１】
本発明に係るコンピュータプログラムは、被加熱物の加熱を行う加熱部と、該加熱部による加熱の開始からの経過時間を計時する計時部と、前記被加熱物の状態を検知する検知部とを備える加熱調理器を制御するコンピュータに、前記計時部が所定時間を計時する前に、前記検知部が前記被加熱物の所定の状態を検知した場合、前記加熱部による加熱を停止し、前記所定時間の計時後、前記計時部による計時を終了する処理を実行させることを特徴とする。
【発明の効果】
【００１２】
本発明によれば、使用者を誤解させることなく良好に加熱を行うことができる。
【図面の簡単な説明】
【００１３】
【図１】実施の形態１に係る加熱調理器の正面図である。
【図２】加熱調理器の模式的な正面断面図である。
【図３】加熱調理器の構成を示すブロック図である。
【図４】設定時間加熱モードにおける制御部の処理手順を示すフローチャートである。
【図５】実施の形態２に係る設定時間加熱モードにおける制御部の処理手順を示すフローチャートである。
【図６】実施の形態３に係る設定時間加熱モードにおける制御部の処理手順を示すフローチャートである。
【発明を実施するための形態】
【００１４】
以下、本発明をその実施の形態を示す図面に基づいて詳述する。
（実施の形態１）
図１は、実施の形態１に係る加熱調理器の正面図であり、図２は、加熱調理器の模式的な正面断面図である。図１及び図２において、１は、加熱調理器であり、加熱調理器１は、筐体２及び該筐体２の正面に設けられた扉３を備える。筐体２の正面には、図示しない開口が設けられており、扉３により開閉される。
【００１５】
扉３は、加熱調理器１の載置面側にて、図示しないヒンジ構造により回動可能に筐体２に接続されている。扉３の中央には、透明な窓部３４が設けられており、窓部３４により、外部から、後述する加熱室が視認できる。また、扉３の外面には、天面側に把手３５が設けられている。加熱調理器１の使用者が把手３５を把持し、扉部３の押し引き動作を行うことにより、前記ヒンジ構造を介して筐体２が開閉される。
【００１６】
更に、扉３の側端部にて、加熱に係る情報を報知する報知部３６と、加熱に係る出力の設定、加熱温度の設定、加熱時間の設定及び加熱の開始等の操作を行うための操作部３７とが設けられている。報知部３６は、表示パネル３６ａ及びスピーカー（不図示）を有しており、扉３に貫設され、表示パネル３６ａの表示面が正面側に露出している。表示パネル３６ａには、設定出力、設定温度又は設定時間等の加熱に係る情報が表示される。
操作部３７は、扉３に貫設されており、操作ボタンが設けられた一面が正面側に露出している。操作部３７への入力に伴って、表示パネル３６ａに表示される情報が変化し、また、スピーカーから操作の受付に係る音声等が流される。
【００１７】
図２に示すように、筐体２の内部には、加熱室２０が設けられている。加熱室２０は、正面に図示しない開口が設けられており、扉３による筐体３の開閉に伴って、開閉される。加熱室２０には、トレイ２１が配され、トレイ２１には、被加熱物２２が載置される。また、加熱室２０の側壁には、吸気口２３が設けられ、天壁には、排気口２４が設けられ、排気口２４に臨ませて、湿度センサ４が設けられている。湿度センサ４は、排気口２４から排出される空気の湿度を測定する。即ち、湿度センサ４は、加熱室２０内の湿度を測定し、これにより、被加熱物２２の加熱に係る状態を検知できる。
【００１８】
加熱室２には、加熱室２の内部に連なるように導波管５０が接続され、該導波管５０には、マグネトロン５が接続されている。マグネトロン５から発生したマイクロ波は、導波管５０を介して加熱室２０内に導入される。
【００１９】
筐体２の内面には、加熱室２０の吸気口２３に対向する位置にファン６が設けられており、ファン６から送風される空気は、吸気口２３を介して加熱室２０内に流入する。吸気口２３を介して加熱室２０内に流入した空気は、排気口２４を介して、加熱室２０の外部に流出する。したがって、ファン６の動作により加熱室２０の換気が行われる。また、ファン６から送風される空気によりマグネトロン５の冷却が行われる。
【００２０】
筐体２の内部において、加熱室２０の外部には、加熱調理器１の動作を制御する制御装置７が配されている。
【００２１】
図３は、加熱調理器１の構成を示すブロック図である。制御装置７は、制御部７０と、記憶部７１、計時部７２及び入出力部７３を備える。記憶部７１、計時部７２及び入出力部７３は、バスを介して制御部７０に接続されている。
【００２２】
制御部７０は、例えばＣＰＵ（central processing unit ）又はＭＰＵ（microprocessor unit ）を有する。
【００２３】
記憶部７１は、ＲＯＭ、ＲＡＭ、補助記憶装置等を有する。記憶部７１は、加熱調理器１の動作に必要なコンピュータプログラム７１ａを予め記憶している。また、記憶部７１は、予め与えられた情報、又はコンピュータプログラム７１ａの実行に伴って制御部７０が生成した情報等を記憶する。制御部７０は、記憶部７１における読み書きを行なう。
【００２４】
なお、コンピュータプログラム７１ａは、コンピュータによる読み取りが可能に記録された可搬式メディアであるＣＤ（Compact Disc）−ＲＯＭ、ＤＶＤ（Digital Versatile Disc）−ＲＯＭ、ＢＤ（Blu-ray （登録商標）Disc）、ハードディスクドライブ又はソリッドステートドライブ等の記録媒体に記録され、ＣＰＵ７０が記録媒体から、コンピュータプログラム７１ａを読み出し、記憶部７１に記憶させることとしてもよい。
また、通信網に接続されている図示しない外部コンピュータから本実施の形態に係るコンピュータプログラム７１ａを取得し、記憶部７１に記憶させることとしてもよい。
【００２５】
計時部７２は、制御部７０に制御されて、経過時間を計時する。なお、計時部７２を用いた計時に代えて、制御部７０がクロックを計数することによる計時が行なわれてもよい。
【００２６】
入出力部７３には、マグネトロン５、湿度センサ４、報知部３６、ファン６、及び操作部３７が接続されている。マグネトロン５、ファン６及び報知部３６においては、より詳しくは、これらの駆動回路が入出力部７３に接続されている。制御部７０は、入出力部７３を介して駆動又は停止等の制御に係る信号を出力することにより、マグネトロン５、報知部３６及びファン６の駆動又は停止等の制御を行う。また、制御部７０には、入出力部７３を介して湿度センサ４及び操作部３７からの情報が入力される。
【００２７】
制御部７０は、記憶部７１に記憶されているコンピュータプログラム７１ａに従って、以下のように、加熱調理器１の動作を制御する。
制御部７０は、操作部３７から、加熱に係る情報が入力された場合、情報を記憶部７１に記憶させ、報知部３６に信号を出力し、表示パネル３６ａに加熱に係る情報を表示させ、スピーカーから操作部３７における操作の受付に係る音声等を流す。
その後、操作部３７から加熱の開始の信号が入力された場合、設定に従って、マグネトロン５及びファン６を駆動させ、被加熱物２２の加熱を行う。また、制御部７０は、被加熱物２２を加熱している間、定期的に湿度センサ４から湿度を取得し、取得した湿度を報知部３６の表示パネル３６ａに表示させ、報知させる。したがって、報知部３６は、湿度センサ４が検知した被加熱物２２の加熱に係る状態についての情報を報知することとなる。これにより、使用者は、被加熱物２２の加熱状況を認識できる。なお、取得した湿度を報知部３６のスピーカーにより報知してもよい。
【００２８】
ここで、加熱調理器１は、使用者が入力した設定時間Ｔの間、マグネトロン５が所定の出力での加熱を行う設定時間加熱モードを有する。設定時間加熱モードの設定は操作部３７により行われる。以下、設定時間加熱モードにおける加熱調理器１の動作を説明する。図４は、設定時間加熱モードにおける制御部７０の処理手順を示すフローチャートである。
【００２９】
制御部７０は、使用者により設定時間加熱モードに係る信号が入力された場合、設定時間Ｔを記憶部７１に記憶させた後、次のように加熱に係る処理を行う。制御部７０は、マグネトロン５を駆動し（Ｓ１）、ファン６を駆動（Ｓ２）する。
【００３０】
その後、制御部７０は、計時部７２に計時を開始させ（Ｓ３）、報知部３６に表示パネル３６ａにおける設定時間Ｔのカウント表示を開始させる（Ｓ４）。該カウント表示は、計時部７２の計時に対応して行われ、例えば、設定時間Ｔから０へ１分ごとに値を減少させることにより行われる。これにより、報知部３６は、計時部７２の計時に係る時間を報知できる。したがって、使用者は、設定時間Ｔまでの残り時間を認識することができる。なお、設定時間Ｔのカウントは、報知部３６のスピーカーによる音声により行われることとしてもよい
【００３１】
その後、制御部７０は、湿度センサ４から加熱室２０内の湿度を取得し、該湿度が所定湿度以上であるか否かを判定する（Ｓ５）。所定湿度は、被加熱物２２が、過加熱とならず、所望の加熱状態に至ったことを示す湿度が予め設定される。制御部７０は、湿度が所定湿度以上でないと判定した場合（Ｓ５：ＮＯ）、設定時間Ｔが経過したか否かを判定する（Ｓ６）。
【００３２】
制御部７０は、設定時間Ｔが経過していないと判定した場合（Ｓ６：ＮＯ）、処理をステップＳ５に戻す。制御部７０は、設定時間Ｔが経過していると判定した場合（Ｓ６：ＹＥＳ）、マグネトロン５を停止し（Ｓ７）、計時部７２による計時を終了し（Ｓ８）、報知部３６によるカウント表示を終了した（Ｓ９）後、ファン６を停止する（Ｓ１０）。その後、制御部７０は、報知部３６に設定時間Ｔの計時の終了を報知させ（Ｓ１１）、処理を終了する。計時の終了の報知は、スピーカーによる音声、又は表示パネル３６ａにおける終了の旨の表示等により行われる。
【００３３】
制御部７０は、湿度が所定湿度以上であると判定した場合（Ｓ５：ＹＥＳ）、マグネトロン５を停止し（Ｓ１２）、設定時間Ｔが経過したか否かを判定する（Ｓ１３）。
制御部７０は、設定時間Ｔが経過していないと判定した場合（Ｓ１３：ＮＯ）、処理をステップＳ１３に戻す。制御部７０は、設定時間Ｔが経過していると判定した場合（Ｓ１３：ＹＥＳ）、ステップＳ８〜Ｓ１１の処理を行い、処理を終了する。
【００３４】
以上の構成によれば、加熱調理器１は、設定時間Ｔの経過前に、加熱室２０内の湿度が所定湿度以上である場合、即ち被加熱物２２が所望の加熱状態に至った場合、マグネトロン５を停止させる。これにより、被加熱物２２を過加熱とならないように良好に加熱できる。また、計時部７２による計時を、設定時間Ｔが経過した後に終了している。したがって、使用者は、加熱調理器１のエラー等によってマグネトロン５が停止したと誤解しない。したがって、加熱調理器１は、使用者を誤解させることなく良好に加熱を行うことができる。
【００３５】
設定時間Ｔより前に加熱室２０内の湿度が所定湿度以上となった場合、報知部３６は、設定時間Ｔの経過後に表示パネル３６ａにおける設定時間Ｔのカウント表示を終了し、また、計時の終了を報知する。したがって、使用者は設定時間Ｔが経過したことを認識できる。
また、設定時間Ｔより前に加熱室２０内の湿度が所定湿度以上となった場合、ファン６は設定時間Ｔの経過後に動作を停止する。したがって、設定時間Ｔが経過するまでファン６が作動している。
表示パネル３６ａは、被加熱物２２の加熱の間、加熱室２０内の湿度を報知するので、使用者は、被加熱物２２の加熱状況を認識できる。
以上より、使用者の誤解をより低減することができる
【００３６】
なお、加熱調理器１において、湿度センサ４に代えて、赤外線センサ等の温度センサを使用し、図４のステップＳ５において、制御部７０が温度センサから取得した温度が、所定温度以上であるかを判定してもよい。この場合においても、被加熱物２２の加熱に係る状態を検知でき、所定温度を被加熱物２２が所望の加熱状態に至ったことを示す温度に設定することにより、同様に、使用者を誤解させることなく良好に加熱を行うことができる。また、温度センサが取得した温度を報知部３６により報知してもよい。
【００３７】
また、加熱調理器は、温度センサ及び湿度センサ４両方を有していてもよい。この場合、図４のステップＳ５において、温度及び湿度のいずれを用いて判定してもよく、取得した温度及び湿度を報知部３６により報知してもよい。
【００３８】
更に、報知部３６は、表示パネル３６ａ又はスピーカーのいずれか一方を有することとしてもよく、ＬＥＤランプ等その他の装置を代わりに用いて、又は組み合わせて報知を行うこととしてもよい。
【００３９】
また、加熱調理器１は、マグネトロン５に代えて、又はマグネトロン５と共に、ヒータを用いて、被加熱物２２を加熱してもよく、蒸気を用いる等マグネトロン５又はヒータ以外により加熱してもよい。
【００４０】
（実施の形態２）
図５は、実施の形態２に係る設定時間加熱モードにおける制御部７０の処理手順を示すフローチャートである。実施の形態２に係る加熱調理器１の構成について、実施の形態１と同様な構成については、同一の符号を付してその詳細な説明を省略する。
【００４１】
制御部７０は、使用者により設定時間加熱モードに係る信号が入力された場合、設定時間Ｔを記憶部７１に記憶させた後、次のように加熱に係る処理を行う。制御部７０は、マグネトロン５を駆動し（Ｓ２１）、ファン６を駆動（Ｓ２２）する。
【００４２】
その後、制御部７０は、計時部７２に計時を開始させ（Ｓ２３）、報知部３６に表示パネル３６ａにおける設定時間Ｔのカウント表示を開始させる（Ｓ２４）。
【００４３】
その後、制御部７０は、湿度センサ４から加熱室２０内の湿度を取得し、該湿度が所定湿度以上であるか否かを判定する（Ｓ２５）。制御部７０は、湿度が所定湿度以上でないと判定した場合（Ｓ２５：ＮＯ）、設定時間Ｔが経過したか否かを判定する（Ｓ２６）。
【００４４】
制御部７０は、設定時間Ｔが経過していないと判定した場合（Ｓ２６：ＮＯ）、処理をステップＳ２５に戻す。制御部７０は、設定時間Ｔが経過していると判定した場合（Ｓ２６：ＹＥＳ）、マグネトロン５を停止し（Ｓ２７）、計時部７２による計時を終了し（Ｓ２８）、報知部３６によるカウント表示を終了した（Ｓ２９）後、ファン６を停止する（Ｓ３０）。その後、制御部７０は、報知部３６に設定時間Ｔの計時の終了を報知させ（Ｓ３１）、処理を終了する。
【００４５】
制御部７０は、湿度が所定湿度以上であると判定した場合（Ｓ２５：ＹＥＳ）、マグネトロン５を停止し（Ｓ３２）、報知部３６に加熱の停止を報知させ（Ｓ３３）、設定時間Ｔが経過したか否かを判定する（Ｓ３４）。報知部３６による加熱の停止の報知は、表示パネル３６ａによるその旨の表示又はスピーカーによる音声等により行われる。
制御部７０は、設定時間Ｔが経過していないと判定した場合（Ｓ３４：ＮＯ）、処理をステップＳ３４に戻す。制御部７０は、設定時間Ｔが経過していると判定した場合（Ｓ３４：ＹＥＳ）、ステップＳ２８〜Ｓ３１の動作を行い、処理を終了する。
【００４６】
以上の構成によれば、実施の形態１と同様に加熱調理器１は、使用者を誤解させることなく良好に加熱を行うことができる。また、報知部３６は、加熱の停止を報知するので、使用者は、被加熱物２２が所望の加熱状態に至ったことを認識できる。したがって、使用者の誤解をより低減することができる。また、設定時間Ｔの経過前に、操作部３７の操作等により加熱調理器１全体の動作を停止して被加熱物２２を加熱室内２２から取り出すこと等が可能となる。
【００４７】
（実施の形態３）
図６は、実施の形態３に係る設定時間加熱モードにおける制御部７０の処理手順を示すフローチャートである。実施の形態３に係る加熱調理器１の構成について、実施の形態１と同様な構成については、同一の符号を付してその詳細な説明を省略する。
【００４８】
制御部７０は、使用者により設定時間加熱モードに係る信号が入力された場合、設定時間Ｔを記憶部７１に記憶させた後、次のように加熱に係る処理を行う。制御部７０は、マグネトロン５を駆動し（Ｓ４１）、ファン６を駆動（Ｓ４２）する。
【００４９】
その後、制御部７０は、計時部７２に計時を開始させ（Ｓ４３）、報知部３６に表示パネル３６ａにおける設定時間Ｔのカウント表示を開始させる（Ｓ４４）。
【００５０】
その後、制御部７０は、湿度センサ４から加熱室２０内の湿度を取得し、該湿度が所定湿度以上であるか否かを判定する（Ｓ４５）。制御部７０は、湿度が所定湿度以上でないと判定した場合（Ｓ４５：ＮＯ）、設定時間Ｔが経過したか否かを判定する（Ｓ４６）。
【００５１】
制御部７０は、設定時間Ｔが経過していないと判定した場合（Ｓ４６：ＮＯ）、処理をステップＳ４５に戻す。制御部７０は、設定時間Ｔが経過していると判定した場合（Ｓ４６：ＹＥＳ）、マグネトロン５を停止し（Ｓ４７）、計時部７２の計時を終了し（Ｓ４８）、報知部３６によるカウント表示を終了した（Ｓ４９）後、ファン６を停止する（Ｓ５０）。その後、制御部７０は、報知部３６に設定時間の計時の終了を報知させ（Ｓ５１）、処理を終了する。
【００５２】
制御部７０は、湿度が所定湿度以上であると判定した場合（Ｓ４５：ＹＥＳ）、マグネトロン５を停止し（Ｓ５２）、設定時間Ｔが経過したか否かを判定する（Ｓ５３）。
制御部７０は、設定時間Ｔが経過していると判定した場合（Ｓ５３：ＹＥＳ）、ステップＳ４８〜Ｓ５１の動作を行い、処理を終了する。
【００５３】
制御部７０は、設定時間Ｔが経過していないと判定した場合（Ｓ５３：ＮＯ）、湿度センサ４から、加熱室２０内の湿度を取得し、該湿度が所定湿度より小さいか否かを判定する（Ｓ５４）。取得した湿度が所定湿度より小さい場合、被加熱物２２の温度は低下している。したがって、湿度センサ４は、被加熱物２２において、所望の加熱状態よりも温度が低下した状態を検知することとなる。制御部７０は、湿度が所定湿度より小さいと判定した場合（Ｓ５４：ＹＥＳ）、マグネトロン５を駆動し（Ｓ５５）、処理をステップＳ４５に戻す。制御部７０は、湿度が所定湿度より小さくないと判定した場合（Ｓ５４：ＮＯ）、処理をステップＳ５３に戻す。なお、ステップＳ５４において、所定湿度ではなく該所定湿度よりも小さい値を適宜設定して判定に用いてもよい。
【００５４】
以上の構成によれば、実施の形態１と同様に加熱調理器１は、使用者を誤解させることなく良好に加熱を行うことができる。また、被加熱物２２が所望の加熱状態に至った場合であって、その後に設定時間Ｔ経過前に被加熱物２２が所望の加熱状態でなくなっとき、即ち被加熱物２２の温度が低下したときに、マグネトロン５を再度駆動し、加熱を行うので、被加熱物２２を加熱し、保温を行うことができる。
【００５５】
本発明に係る加熱調理器（１）は、被加熱物（２２）の加熱を行う加熱部（５）と、該加熱部（５）による加熱の開始からの経過時間を計時する計時部（７２）と、前記被加熱物（２２）の加熱に係る状態を検知する検知部（４）とを備え、前記計時部（７２）が所定時間を計時する前に、前記検知部（４）が前記被加熱物（２２）の所定の状態を検知した場合、前記加熱部（５）は、加熱を停止し、前記計時部（７２）は、前記所定時間を計時した後、計時を終了することを特徴とする。
【００５６】
本発明によれば、所定時間の経過前に、被加熱物（２２）が所定の状態に至った場合、加熱部（５）を停止させる。これにより、検知部（４）が検知する所定の状態を、過加熱でない所望の加熱状態とすることで、被加熱物（２２）を過加熱とならないように良好に加熱できる。また、計時部（７２）による計時を、所定時間の計時後に終了している。したがって、使用者は、エラー等によって加熱部（５）が停止したと誤解しない。したがって、加熱調理器（１）は、使用者を誤解させることなく良好に加熱を行うことができる。
【００５７】
本発明に係る加熱調理器（１）は、前記検知部（４）は、湿度センサ（４）又は温度センサであることを特徴とする。
【００５８】
本発明によれば、検知部（４）は、湿度センサ（４）又は温度センサであるので、被加熱物（２２）に係る湿度又は被加熱物（２２）の温度を測定することにより、被加熱物（２２）の加熱に係る状態を検知できる。
【００５９】
本発明に係る加熱調理器（１）は、前記計時部（７２）が計時を終了した場合に、計時の終了を報知する終了報知部（３６）を備えることを特徴とする。
【００６０】
本発明によれば、使用者は所定時間の経過を認識することができ、使用者の誤解をより低減することができる。
【００６１】
本発明に係る加熱調理器（１）は、前記検知部（４）が前記所定の状態を検知し、前記加熱部（５）が加熱を停止した場合に、前記加熱部（５）による加熱の停止を報知する停止報知部（３６）を備えることを特徴とする。
【００６２】
本発明によれば、使用者は、被加熱物（２２）が加熱に係る所定の状態に至ったことを認識でき、使用者の誤解をより低減することができる。
【００６３】
本発明に係る加熱調理器（１）は、前記計時部（７２）の計時に係る時間を報知する時間報知部（３６）を備えることを特徴とする。
【００６４】
本発明によれば、使用者は計時に係る時間を認識することができるので、使用者の誤解をより低減することができる。
【００６５】
本発明に係る加熱調理器（１）は、前記検知部（４）が検知した状態に係る情報を報知する情報報知部（３６）を備えることを特徴とする。
【００６６】
本発明によれば、使用者は、被加熱物（２２）の加熱状況を認識できるので、使用者の誤解をより低減することができる。
【００６７】
本発明に係る加熱調理器（１）は、前記加熱部（５）が加熱を開始した場合に動作を開始し、前記所定時間が経過した場合に動作を停止し、前記被加熱物（２２）が収容される加熱室（２０）の換気を行うファン（６）を備えることを特徴とする。
【００６８】
本発明によれば、所定時間が経過するまでファン（６）が作動しているので使用者の誤解をより低減することができる。
【００６９】
本発明に係る加熱調理器（１）は、前記所定時間の経過前において前記加熱部（５）が加熱を停止した後、前記検知部（４）が、前記所定の状態よりも温度が低下した状態を検知した場合、前記加熱部（５）は、前記被加熱物（２２）を加熱することを特徴とする。
【００７０】
本発明によれば、被加熱物（２２）の温度が所定の状態よりも低下した場合に、加熱を行うので、被加熱物（２２）の保温を行うことができる。
【００７１】
本発明に係る作動方法は、被加熱物（２２）の加熱を行う加熱部（５）と、該加熱部（５）による加熱の開始からの経過時間を計時する計時部（７２）と、前記被加熱物（２２）の状態を検知する検知部（４）とを備える加熱調理器（１）の作動方法であって、前記計時部（７２）が所定時間を計時する前に、前記検知部（４）が前記被加熱物（２２）の所定の状態を検知した場合、前記加熱部（５）は、加熱を停止し、前記計時部（７２）は、前記所定時間を計時した後、計時を終了することを特徴とする。
【００７２】
本発明によれば、所定時間の経過前に、被加熱物（２２）が所定の状態に至った場合、加熱部（５）を停止させる。これにより、検知部（４）が検知する所定の状態を、過加熱でない所望の加熱状態とすることで、被加熱物（２２）を過加熱とならないように良好に加熱できる。また、計時部（７２）による計時を、所定時間の計時後に終了している。したがって、使用者は、エラー等によって加熱部（５）が停止したと誤解しない。したがって、加熱調理器（１）は、使用者を誤解させることなく良好に加熱を行うことができる。
【００７３】
本発明に係るコンピュータプログラム（７１ａ）は、被加熱物（２２）の加熱を行う加熱部（５）と、該加熱部（５）による加熱の開始からの経過時間を計時する計時部（７２）と、前記被加熱物（２２）の状態を検知する検知部（４）とを備える加熱調理器（１）を制御するコンピュータ（７０）に、前記計時部（７２）が所定時間を計時する前に、前記検知部（４）が前記被加熱物（２２）の所定の状態を検知した場合、前記加熱部（５）による加熱を停止し、前記所定時間の計時後、前記計時部（７２）による計時を終了する処理を実行させることを特徴とする。
【００７４】
本発明によれば、所定時間の経過前に、被加熱物（２２）が所定の状態に至った場合、加熱部（５）を停止させる。これにより、検知部（４）が検知する所定の状態を過加熱でない所望の加熱状態とすることで、被加熱物（２２）を過加熱とならないように良好に加熱できる。また、計時部（７２）による計時を、所定時間の計時後に終了する。したがって、使用者は、エラー等によって加熱部（５）が停止したと誤解しない。したがって、加熱調理器（１）は、使用者を誤解させることなく良好に加熱を行うことができる。
【００７５】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。即ち、請求項に示した範囲で適宜変更した技術的手段を組み合わせて得られる実施形態も本発明の技術的範囲に含まれる。
【符号の説明】
【００７６】
１  加熱調理器
４  湿度センサ（検知部）
５  マグネトロン（加熱部）
２０  加熱室
３６  報知部（停止報知部、情報報知部）
７０  制御部（コンピュータ）
７１ａ  コンピュータプログラム
７２  計時部
Ｔ  設定時間（所定時間）
【図１】
2017194208.tif 000003
【図２】
2017194208.tif 000004
【図３】
2017194208.tif 000005
【図４】
2017194208.tif 000006
【図５】
2017194208.tif 000007
【図６】
2017194208.tif 000008